(57)【要約】【課題】スピーカ本体の破損を防止しつつ、専用のハンドルを設けずに持ち運び可能な表示装置を提供する。【解決手段】表示モジュールと、表示モジュールの背面を覆う後キャビネット８と、表示モジュールの背面に設けられたスピーカ本体と、後キャビネットから外方に突出してスピーカ本体を覆うと共に先端に開口１３を有し、スピーカ本体から出力された音の流れを下方向きに整流するスピーカカバー１０と、音出力用穴１６ａが複数形成され、スピーカカバーの開口を塞ぐ蓋体１４とを備える。【選択図】図３
2015144338.tif 000002
【特許請求の範囲】
【請求項１】
表示モジュールと、
該表示モジュールの背面を覆う後キャビネットと、
前記表示モジュールの背面に設けられたスピーカ本体と、
前記後キャビネットから外方に突出して前記スピーカ本体を覆うと共に先端に開口を有し、前記スピーカ本体から出力された音の流れを下方向きに整流するスピーカカバーと、
音出力用穴が複数形成され、前記スピーカカバーの開口を塞ぐ蓋体と
を備えることを特徴とする表示装置。
【請求項２】
請求項１に記載の表示装置であって、
前記スピーカカバーの開口は、前記表示モジュールの背面の法線に沿って延びていることを特徴とする表示装置。
【請求項３】
請求項１に記載の表示装置であって、
前記スピーカカバーの開口は、前記表示モジュールの背面の法線に対して下方向に傾斜していることを特徴とする表示装置。
【発明の詳細な説明】
【技術分野】
【０００１】
本発明は、表示装置に関し、詳細には、専用のハンドルを設けずに持ち運び可能な構造の表示装置に関する。
【背景技術】
【０００２】
薄型テレビ等の表示装置は、例えば液晶パネルやＬＥＤ（Light Emitting Diode）光源などを含む表示モジュールを有する。表示モジュールの周囲には前キャビネットが設けられ、表示モジュールの背面側は後キャビネットで覆われている。そして、持ち運ぶためのハンドルを後キャビネットに設置した構造が知られている。
ここで、ハンドルの厚みが表示装置の厚みよりも大きくなる場合、表示装置の薄型化の妨げになるし、壁掛け設置する場合、ハンドルの厚み分だけ表示装置が下方を向くなど、邪魔になる。
【０００３】
例えば、特許文献１には、ハンドルを設けない表示装置が開示されている。この表示装置の側面にはスピーカ本体の設置孔が形成されており、仮に、持ち運び可能な表示装置を構成するために、この設置孔を手でアクセス可能に形成することも考えられる。
【先行技術文献】
【特許文献】
【０００４】
【特許文献１】実開昭６４−００８８９６号公報
【発明の概要】
【発明が解決しようとする課題】
【０００５】
しかしながら、特許文献１の構造において、スピーカ本体の設置孔を手でアクセス可能に形成すると、開梱時には設置孔を手で掴み難いので、表示装置を箱から取り出し難くなる。また、指先がスピーカ本体に直接に触れやすくなって、スピーカ本体を破損するおそれがあるという問題がある。
【０００６】
本発明は、上述のような実情に鑑みてなされたもので、スピーカ本体の破損を防止しつつ、専用のハンドルを設けずに持ち運び可能な表示装置を提供することを目的とする。
【課題を解決するための手段】
【０００７】
上記課題を解決するために、本発明の第１の技術手段は、表示モジュールと、該表示モジュールの背面を覆う後キャビネットと、前記表示モジュールの背面に設けられたスピーカ本体と、前記後キャビネットから外方に突出して前記スピーカ本体を覆うと共に先端に開口を有し、前記スピーカ本体から出力された音の流れを下方向きに整流するスピーカカバーと、音出力用穴が複数形成され、前記スピーカカバーの開口を塞ぐ蓋体とを備えることを特徴としたものである。
【０００８】
第２の技術手段は、第１の技術手段において、前記スピーカカバーの開口は、前記表示モジュールの背面の法線に沿って延びていることを特徴としたものである。
【０００９】
第３の技術手段は、第１の技術手段において、前記スピーカカバーの開口は、前記表示モジュールの背面の法線に対して下方向に傾斜していることを特徴としたものである。
【発明の効果】
【００１０】
本発明によれば、スピーカカバーが後キャビネットから外方に突出しているので、このスピーカカバーを手で掴めば、開梱時に表示装置を箱から取り出しやすくなる。また、スピーカカバーを手で掴む際、指先は蓋体に触れるため、蓋体を設けない場合に比べて表示装置が持ち運びやすくなる。さらに、指先がスピーカ本体にも触れないので、スピーカ本体の破損を防止することができる。
【図面の簡単な説明】
【００１１】
【図１】本発明による表示装置の外観の一例を示す図である。
【図２】本発明による表示装置の外観の一例を示す図である。
【図３】本発明の実施形態１による表示装置のスピーカ周辺を拡大した図である。
【図４】本発明の実施形態２による表示装置のスピーカ周辺を拡大した図である。
【図５】参考例による表示装置のスピーカ周辺を拡大した図である。
【発明を実施するための形態】
【００１２】
以下、添付図面を参照しながら、本発明の表示装置に係る好適な実施の形態について説明する。
図１，２は、本発明による表示装置の外観の一例を示す図であり、図１は、表示装置の正面図、側面図、平面図を示し、図２は、表示装置の背面図を示す。表示装置１は、例えば壁掛けタイプの液晶表示装置であり、液晶パネル４などを含むパネルモジュール３を有する。パネルモジュール３の周囲には前キャビネット２が設けられ、パネルモジュール３の背面側は後キャビネット８で覆われている。
【００１３】
液晶パネル４は、２枚のガラス基板間に液晶を挟持した構造を有し、液晶を形成する液晶分子の配向状態が制御されることで、パネルモジュール３内の導光板から出射された光の透過／遮断を制御する光シャッタとしての機能を有する。
前キャビネット２は、例えば樹脂製の枠形状で形成され、パネルモジュール３の周囲に設けられる。詳しくは、前キャビネット２は、上面２ａ、左面２ｂ、下面２ｃ、右面２ｄが連結して枠形状をなし、パネルモジュール３の周縁にそれぞれ対向している。
【００１４】
後キャビネット８も例えば樹脂で形成され、パネルモジュール３の背面側を覆っている。後キャビネット８には、電源スイッチや、電源基板側から電源コードを引き出すためのコード引出部、メイン基板側から各種接続端子を引き出すための端子引出部等が形成され、また、パネルモジュール３を冷却するための通風孔も形成されている。
パネルモジュール３は、液晶パネル４の背面側に、光学シート、導光板、反射シート等を有し、この反射シートの背面側に背面シャーシを有している。なお、パネルモジュールが本発明の表示モジュールに相当する。
【００１５】
光学シートは、例えば、２枚のマイクロレンズシートと、１枚の輝度向上シートとで構成され、導光板から出射された光の均一化や、正面方向の輝度を向上させるなどの機能を有する。導光板は、アクリルなどの透明な樹脂で形成され、例えば、エッジライト型のＬＥＤ光源からの光を正面側に位置した液晶パネル４に出射する。反射シートは、ＬＥＤ光源から出射した光のうち、導光板に入射しない光を反射して導光板に入射させるなどの機能を有する。背面シャーシは、導光板及び反射シート等を保持し、これらの取り付け台として機能する。
【００１６】
パネルモジュール３の背面には、例えば、２台のスピーカユニット９が取り付けられている。具体的には、図２に示すように、スピーカユニット９は、前キャビネット２の下面２ｃの近傍であって、左面２ｂの近傍や右面２ｄの近傍にそれぞれ設けられている。スピーカユニット９は、例えば、下方向きのスピーカ本体がフレーム等に保持されており、このフレームの左右両端側がパネルモジュール３の背面にネジ止めされている。
【００１７】
より詳しくは、図５は、参考例による表示装置のスピーカ周辺を拡大した図であり、底面図を示している。開口３３が蓋体で塞がれていないスピーカユニットの例で説明すると、開口３３からは、下方向きのスピーカ本体９ａと、楕円形状の開口を有し、スピーカ本体９ａの周囲を保持するフレーム９ｂと、このフレーム９ｂの背面や側面を覆い、スピーカ本体９ａをパネルモジュール３の背面に固定させるためのユニット支持部９ｃと、フレーム９ｂの左右両端側に設けられたネジ止め部９ｄとが見えている。
【００１８】
なお、後方向きのスピーカ本体を設けてもよく、上記した下方向きのスピーカ本体を設けた場合に比べて表示装置の薄型化により一層寄与する。また、図１，２は壁掛けタイプの表示装置を示したため、スピーカユニットが下面２ｃの近傍に設けられているが、スタンド設置タイプの場合、上面２ａと下面２ｃとの中間位置にスピーカユニットを設けてもよい。
【００１９】
（実施形態１）
図３は、本発明の実施形態１による表示装置のスピーカ周辺を拡大した図であり、図３（Ａ）は下方から見た斜視図を示し、図３（Ｂ）は底面図を示す。
スピーカユニット９は、スピーカ本体やフレーム等を覆う金属製のスピーカカバー１０を備えている。スピーカカバー１０は、後キャビネット８から外方に突出しており、スピーカ本体から出力された音の流れを下方向きに整流する機能を有している。
【００２０】
より具体的には、スピーカカバー１０は、例えば、固定部１１ａ，１１ｂ，１１ｄ、突出部１２、開口１３からなる。固定部１１ａ，１１ｂ，１１ｄは上、左、右方向にそれぞれ延び、後キャビネット８にビスもしくはリベットで固定可能に形成されている。突出部１２は、折り曲げた状態で固定部１１ａ，１１ｂ，１１ｄに連なっており、後キャビネット８から外方に突出して後キャビネット８の下方向に延びている。
【００２１】
なお、図３に示すように、上方向に延びた固定部１１ａに折り曲げた状態で連なる押え部１５を設け、この押え部１５が突出部１２の中央部分をパネルモジュール３の背面に向けて押圧していてもよい。
開口１３は、突出部１２の先端部分に形成され、図３に示す例では、パネルモジュール３の背面の法線に沿って、言い換えれば、パネルモジュール３の背面に対して垂直方向に延びている。
【００２２】
この開口１３は金属製の蓋体１４で塞がれている。蓋体１４は、固定部１１ｃ、蓋部１６からなり、固定部１１ｃは下方向に延び、後キャビネット８にビスもしくはリベットで固定可能に形成されている。
図３に示す蓋部１６は、折り曲げた状態で固定部１１ｃに連なっており、パネルモジュール３の背面の法線に沿って延びた平坦状に形成され、その中央位置には、複数の音出力用穴１６ａが蓋部１６を貫通して設けられている。なお、音出力用穴１６ａは、後述の指先に触れる点を考慮すれば、例えば、直径５ｍｍ以下の大きさが好ましい。
【００２３】
このように、スピーカカバー１０が後キャビネット８から外方に突出しているので、このスピーカカバー１０を手で掴めば、開梱時に表示装置１を箱から取り出しやすくなる。また、スピーカカバー１０を手で掴んで表示装置１を持ち運ぶ際、指先は蓋体１４に触れるため、蓋体を設けない場合に比べて表示装置が持ち運びやすくなる。さらに、指先がスピーカ本体にも触れないので、スピーカ本体の破損を防止することができる。
【００２４】
また、指先は蓋体１４の音出力用穴１６ａに触れるので、滑り難くなる。さらに、平坦な開口１３を有したスピーカカバー１０にすれば、曲線で形成する場合に比べて製造が容易である。
なお、この実施形態では、ビス等で後キャビネット８に固定するスピーカカバー１０や蓋体１４の例を挙げて説明したが、スピーカカバーや蓋体は後キャビネットと一体形成することもできる。
【００２５】
（実施形態２）
図４は、本発明の実施形態２による表示装置のスピーカ周辺を拡大した図であり、側面図を示している。この例のスピーカカバー２０も突出部２２を有し、後キャビネット８から外方に突出して後キャビネット８の下方向を向けて延びているが、図４に示した開口２３は、パネルモジュール３の背面の法線に対して下方向に傾斜している。
【００２６】
また、この開口２３も蓋体で塞がれており、その蓋部は、パネルモジュール３の背面の法線に対して下方向に傾斜した形状に形成されている。なお、上記実施形態１の蓋部１６と同様の平坦状に形成してもよい。
このように、開口２３がパネルモジュール３の背面から離れるに連れて下方向に傾斜したスピーカカバー２０の形状にすれば、指を上方に曲げた手の姿勢に類似するので、スピーカカバーを掴んで表示装置をより一層持ち運びやすくなる。
【００２７】
上記の各実施形態では、液晶テレビの液晶パネルモジュールを例に挙げて説明したが、本発明はそれに限られることなく、他の表示装置についても適用できる。表示部分がモジュール構造であればよく、有機ＥＬ、プラズマ等であってもよい。
【符号の説明】
【００２８】
１…表示装置、２…前キャビネット、２ａ…上面、２ｂ…左面、２ｃ…下面、２ｄ…右面、３…パネルモジュール、４…液晶パネル、８…後キャビネット、９…スピーカユニット、９ａ…スピーカ本体、９ｂ…フレーム、９ｃ…ユニット支持部、９ｄ…ネジ止め部、１０，２０…スピーカカバー、１１ａ，１１ｂ，１１ｃ，１１ｄ…固定部、１２，２２…突出部、１３，２３，３３…開口、１４…蓋体、１５…押え部、１６…蓋部、１６ａ…音出力用穴。
【図１】
2015144338.tif 000003
【図２】
2015144338.tif 000004
【図３】
2015144338.tif 000005
【図４】
2015144338.tif 000006
【図５】
2015144338.tif 000007